(57)【特許請求の範囲】
【請求項１】
端面に配したラックを有するラック体と、同様に端面に配したラックを有する一体型ウェイトと、該ラック体と該一体型ウェイトの間に設置されるピニオンで構成されるウェイト系トレーニング器具において、該ラック体により該ピニオンを介して動かしめられる該一体型ウェイトの上下動によりトレーニングを行い、トレーニング量のデータ蒐集を該ピニオンの軸により駆動される発電装置により行う計測手段と、該ピニオンのピニオン径の選択により行うトレーニングの負荷レベル設定手段と、発電した電力を売電して得られた金額を口座へ振り込む自動振込手段を有することを特徴とするトレーニングジムの統合管理運営システム。
【発明の詳細な説明】
【技術分野】
【０００１】
トレーニングジム利用者のトレーニング状況及び結果が、トレーニングによって得られる発電量の計測により記録され、データベースに書き込まれて、そしてトレーニングジム利用者（以下トレーニング者と略称）全員の前記発電量を合計し、売電するようにして、該売電して得られた金額を指定口座へ直接振り込み、寄付するようにしたトレーニングジムの統合管理運営システム。
【０００２】
トレーニング者による発電型ウェイト系トレーニング器具の一体型ウェイトの上下動によるラックの動きでピニオンを回転させて発電機を駆動し、トレーニングの負荷レベルの設定をピニオン径の選択機構によって行う。
【０００３】
従来のウェイト系トレーニング器具のウェイト部分を側面にラックを配した形状とする一体型ウェイトに置き換え、いわゆるラックピニオン構造とし、ピニオンを通して発電機を駆動する構造とした。
【０００４】
トレーニング者全員の発電量を合計して売電して得られた金額が、トレーニング者毎の貢献度として定期的にトレーニング者に報告され、トレーニング者にとり体力増進の結果が明確に把握できることになり、同時にトレーニングへの意欲も高められる。  
【０００５】
サーバにはトレーニング者のトレーニングにまつわる全てのデータが書き込まれ、保存してあり、トレーニングジムの受付時、ＩＣカードによる認証処理後これらのデータが参照可能となり、トレーニング器具のレベル設定のときに使用されたりする。また前記認証処理後、ＩＣカードに空ロッカー番号が書き込まれ、トレーニング者は該ロッカーを開錠し、施錠することが可能となる。
【０００６】
トレーニング者がトレーニングのためにＩＣカードをトレーニング器具に設置されたリーダライタに挿入すると、過去のトレーニング履歴データがサーバから読み出され、トレーニング器具の利用が可能となる。トレーニング者は前記トレーニング履歴データを参照してトレーニング器具を効率的な体力増強に向けたレベルにセットすることができる。
【０００７】
トレーニング者はトレーニング開始となりトレーニングにより発電した電力量が計測され、トレーニング者の正確なトレーニング結果がサーバに記録されることになる。
【背景技術】
【０００８】
昨今、トレーニングを行う設備を提供するトレーニングジムが普及している。トレーニングジムでは、単純にトレーニングを行う設備を提供するだけでなく、痩身、健康管理、筋力増強などの目的に応じたメニュを作成し、効率的なトレーニングを提供するシステムが完備してきている。
【０００９】
特許文献１はトレーニング器具の設定を自動的に行ってトレーニング者の便宜を図るものであり（段落１２，１３）、特許文献２はウェイト系トレーニング器具の重量即ちウェイトの枚数や、運動の上下回数をセンサーにより計測して運動の結果を記録するものであり（段落１３，１４）、特許文献３はエアロバイクに連動して映像や負荷、風量を制御して、実トレーニングに限りなく近づけてトレーニング者のトレーニング意欲を維持し増大させるものであり（段落２０）、特許文献４はベンチプレスのペアを効率的且つ自動的に選出する仕組みを提供する（段落４０〜４９）ものであり、このような特許案が開示されている。
【００１０】
さらに特許文献３においては脈拍、血圧などの体調データと体重・身長・体脂肪率などの体格データやトレーニング履歴データを参照し、「今日」のトレーニングのメニュを自動作成して、該メニュに基づいてトレーニング器具の負荷を自動設定することも開示されている（段落３４〜３６）。
【先行技術文献】
【特許文献】
【００１１】
【特許文献１】特開平５−８４３２７号公報
【特許文献２】特開平１０−２３００２１号公報
【特許文献３】特開２００５−２８８１４４号公報
【特許文献４】特開２００５−３１６８２７号公報
【発明の概要】
【発明が解決しようとする課題】
【００１２】
しかしながらこれらの特許文献ではトレーニングの経過や結果の記録をして、トレーニング機器の自動設定などしかしておらず、トレーニングに費やすエネルギーを有効に利活用しようとするものは皆無である。
【００１３】
本発明はこのような不都合に鑑みなされたものであり、トレーニングジムにおけるトレーニング者のトレーニングの経過・結果を従来のウェイト系トレーニング器具を改変して発電するようにして、発電量を記録し、電力を売電し、売電したお金を任意団体の口座へ自動的に振り込むようにしたトレーニングジムの統合管理運営システムを提供することを目的としている。
【課題を解決するための手段】
【００１４】
本発明は、端面に配したラックを有するラック体と、同様に端面に配したラックを有する一体型ウェイトと、該ラック体と該一体型ウェイトの間に設置されるピニオンで構成されるウェイト系トレーニング器具において、該ラック体により該ピニオンを介して動かしめられる該一体型ウェイトの上下動によりトレーニングを行い、トレーニング量のデータ蒐集を該ピニオンの軸により駆動される発電装置により行う計測手段と、該ピニオンのピニオン径の選択により行うトレーニングの負荷レベル設定手段と、発電した電力を売電して得られた金額を口座へ振り込む自動振込手段を有することを特徴とするものである。
【発明の効果】
【００１８】
従来のウェイト系トレーニング器具のウェイト部分を側面にラックを配した一体型ウェイトに置き換え、いわゆるラックピニオン構造とし、ピニオンを介して発電機を駆動する構造とし、トレーニングに費やすエネルギーを有効に利活用できるようになった。
【図面の簡単な説明】
【００１９】
【図１】トレーニングジムの統合管理運営システムのシステム構成ブロック図の説明図である。
【図２】トレーニングジムの平面図である。（一部図１０を含む）
【図３】トレーニング者データ６０の説明図である。
【図４】トレーニング器具データ６１の説明図である。
【図５】トレーニング履歴データ６２の説明図である。
【図６】従来のウェイト系トレーニング器具５１の説明図である。
【図７】発電型ウェイト系トレーニング器具５２の説明図である。
【図８】発電型ウェイト系トレーニング器具５２別型の説明図である。
【図９】ラックピニオン機構による発電機駆動及び負荷レベル設定の説明図である。
【図１０】従来の太陽光発電の仕組みを流用した売電する仕組みの説明図である。
【発明を実施するための形態】
【００２０】
以上のように構成されるトレーニングジムの統合管理運営システムの実際の使用態様について図を参照しながら説明する。
【００２１】
図１は本発明によるトレーニングジムの統合管理運営システムのシステム構成ブロック図である。該トレーニングジムの統合管理運営システムはサーバ１０を有し、図２でも触れるが符号３０、４０、５０、５２これらの各機器は、リーダライタ２０、表示装置２５が通信制御部２４を介してサーバ１０に接続されている。これらの内、発電型ウェイト系トレーニング器具５２は全てトレーニングによって発電するような機構になっており、トレーニング量が発電量として記録される。またロッカー７１にはリーダライタ２０のみが同様にして、サーバ１０に接続されている。
【００２２】
サーバ１０にはアプリケーションプログラムとして機能するトレーニングジム管理部１２が設けられている。トレーニングジム管理部１２はトレーニングジムへの受付と退室を管理する受付制御部１３、ロッカーの開錠と施錠を司るロッカー制御部１４、トレーニング量の記録管理がなされる発電制御部１５、さらに電力会社への売電を処理する売電制御部１６、任意団体の口座へ自動振込みを処理する口座振込制御部１７、このようなアプリケーションプログラムから構成されている。
【００２３】
またトレーニングジム管理部１２には、データベースとしてトレーニング者データベース６０、トレーニング器具データベース６１、トレーニング履歴データベース６２が接続されている。
【００２４】
図２はトレーニングジムの平面図である。受付部５０にはリーダライタ２０と表示装置２５が設置されている。また一部太陽光発電による売電の仕組みとの連携の図が含まれるが、それは図９で説明する。
【００２５】
トレーニングジムには発電型ウェイトトレーニング器具５２が設置され、リーダライタ２０と表示装置２５が付帯している。ロッカールーム７０にはロッカー７１が配置され、各ロッカー７１にはリーダライタ２０が設置してある。
【００２６】
トレーニング者は自身のＩＣカードを携帯してトレーニングジムに入場し、受付部５０にて該ＩＣカードをリーダライタ２０に通すと、該リーダライタ２０によってトレーニング者の識別データが読み取られ、図１の受付制御部１３により入室時間が記録され、同時にＩＣカードに空ロッカー７１のＩＤ番号が割り当てられる。
【００２７】
ロッカールーム７０において着替えを行う際には、空ロッカー７１に備え付けられたリーダライタ２０にＩＣカードを通す。図１のサーバ１０のロッカー制御部１４と連動して動作する空ロッカー７１に内蔵された施解錠制御機構（図示せず）により、該ＩＣカードのロッカーのＩＤ番号と空ロッカー７１に格納されているＩＤ番号とが一致しているとき、ロッカー扉が解錠される。
同様に施錠する場合は、ＩＣカードをリーダライタ２０に通すと、該ＩＣカードのロッカーのＩＤ番号と空ロッカー７１に格納されているＩＤ番号とが一致しているとき、ロッカー扉が施錠される。
【００２８】
トレーニングルーム５５には血圧・脈拍データを測る体調データ計測器３０と体重・身長・体脂肪率を測る体格データ計測器４０が設置され、それぞれにリーダライタ２０と表示装置２５が付帯している。
【００２９】
ＩＣカードを体調データ計測器３０や体格データ計測器４０のリーダライタ２０に挿入することによりサーバ１０との接続がなされてトレーニング者が認識され、計測した体調データや体格データが日付データと共にサーバ１０に記録し管理される。
【００３０】
体調データや体格データはメニュ作成や発電型ウェイト系トレーニング器具５２の設定に際して、表示装置２５に表示され、参照され、最適且つ効率的なトレーニングのために利用される。
【００３１】
トレーニング者は発電型ウェイト系トレーニング器具５２に設置されたリーダライタ２０にＩＣカードを通すと、後述するトレーニング者のトレーニング履歴データ６２（図５）が表示装置２５に表示され、該データを参考に発電型ウェイト系トレーニング器具５２の設定を行うこともできる。
【００３２】
図３はトレーニング者データ６０の説明図であり、トレーニング者ＩＤ、トレーニング者名、年齢、性別、入会年月日からなっている。
【００３３】
図４はトレーニング器具データ６１の説明図である。マシン、トレーニング器具名、強化部位からなっている。マシンはマシン番号を表し、またトレーニング器具名は英語表記している。強化部位は個々の発電型ウェイト系トレーニング器具５２（マシンｎ）を使って鍛えられる筋肉の部位を示している。このようにトレーニング器具データ６１では項目名をマシンとし、個々のトレーニング器具を１〜ｎのように表している。
【００３４】
図５はトレーニング者のトレーニング履歴データ６２の説明図であり、まずトレーニング者ＩＤ、次にトレーニング期日が年月日と時間に分割されて記録されている。
尚該時間は最初に使用したマシンｎの使用開始の時間と、最後に使用したマシンｎの使用終了の時間が記入される。
【００３５】
マシン欄のスラッシュで区切られた番号はマシン番号を表し、このようにトレーニング者が使用する発電型ウェイト系トレーニング器具５２の組み合わせを表している。レベルは各マシン毎のトレーニングの負荷レベルを表す。数字が増えると運動負荷が減ることになる。ここでは後述するピニオンの単位径１から１０、発電機の負荷切替Ａ，Ｂによる２段切り替えを表しており、例えば１０Ａはピニオン単位径が１０で発電機の切替Ａを表している（Ａ＜ＢのようにＢの方が負荷大）。次にトレーニングによるエネルギー消費量、トレーニング結果により得られる発電量が記録されている。エネルギー消費量及び発電量は左欄のレベルの個々のマシンによるトレーニングの総計である。さらには体調、体格及び入退室データからなっている。
尚エネルギー消費量の計測方法などの詳細については省略する。
【００３６】
トレーニング者はトレーニングのために図２に示す所望の発電型ウェイト系トレーニング器具５２（マシンｎ）へ行き、ＩＣカードをリーダライタ２０に挿入すると、過去のトレーニング履歴データ６２が表示装置２５に表示され参照できる。
【００３７】
トレーニング者は該トレーニング履歴データ６２を参照してこれから使用する発電型ウェイト系トレーニング器具５２のレベルを設定することができる。即ち過去のトレーニング履歴データ６２を参照して、「今日」のレベルを１Ａや６Ｂのように設定することができ、効率的なトレーニングを行って、痩身、健康管理、筋力増強を図ることができる。
【００３８】
またトレーニング履歴データ６２と、さらに先に計測した「今日」の体調データと体格データを参照してメニュを自動作成するようにし、特許文献３に記述してあるようなトレーニング器具の自動設定が可能となる。
【００３９】
図６と図７はそれぞれ従来のウェイト系トレーニング器具５１と本発明の発電型ウェイト系トレーニング器具５２であり、さらにそれぞれの正面図（ａ）と平面図(ｂ)である。
まず従来のウェイト系トレーニング器具５１の説明をする。なお図６と図７において、両者に共通の部分については符号を同一にし、また特に発明の発電型ウェイト系トレーニング器具５２において、左右対称に存在する部分については符号にL、Rを付加して表している。
【００４０】
図６においてウェイト８８は２本の案内ロッド８６に支えられて、吊上ワイヤ８５によってトレーニング者によって引き上げられる。ウェイト系トレーニング器具５１は、トレーニング者が操作部（図示せず。操作部の図はトレーニングの強化部位によって異なり、例えば腕や足、胴体で操作したりするなどで異なってくる）を操作した場合に該操作部に吊上ワイヤ８５で接続された、前記ウェイト８８が案内ロッド８６に沿って上下または昇降することにより、該ウェイト８８の重量によってトレーニング者に所定の負荷を与えるようにしている。この場合、トレーニング者はウェイト８８の重量をその上下するウェイト８８の個数により調節できる。ウェイト８８の個数の調節、即ち選択はウェイト選択穴８７にウェイト選択ピン（図示せず）を挿入して行う。下方のウェイト選択穴８７を選ぶほどウェイトの重量がそれだけ重くなるような機構になっている。
【００４１】
本発明の発電型ウェイト系トレーニング器具５２は図７のように従来のウェイト部分の分離構造を、ラック体８０に置き換え、両側にピニオン８１を配置し、いわゆるラックピニオン構造とし、ピニオン軸８３により発電機（図示せず）を駆動する構造としている。
【００４２】
左右の一体型ウェイト８２の内側側面もラックになっており、該ラックがピニオン８１に噛み合い、トレーニング者のトレーニングによりラック体８０が上下運動することにより、ピニオン８１の発電機駆動軸８３に連結構造とした発電機により起電される。
【００４３】
トレーニング者が操作部（図示せず）を操作した場合に、該操作部に吊り上げワイヤ８５で接続された、ラック体８０が案内ロッド８６に沿って、上下または昇降することにより、ラック体８０の両側に配置されたピニオン８１が回転し、さらに両側に配置された一体型ウェイト８２がウェイト案内ロッド８４に支えられて、上下動または昇降する機構になっている。
【００４４】
平面図(ｂ)では特にピニオン８１に関して説明しているが、左右に３種のピニオン８１即ち単位径１〜３が配されており、単位径１のピニオン８１がラックに噛み合っている。他のピニオン８１を選択するためには発電機駆動軸８３を移動するような図になっている。尚正面図（ａ）においては単位径１のピニオン８１のみ図示している。
【００４５】
尚図７の発電型ウェイト系トレーニング器具５２の機構については、さらに簡単な形として片側だけの一体型ウェイト８２を配した図８のような別型も考えられる。
【００４６】
次に図９によりトレーニング者のトレーニングの負荷レベル、即ちトレーニング負荷の設定方法、さらにそれに伴う発電の仕組みについて説明する。図ではこのように負荷設定のために単位径１から５までのピニオン８１が用意されており、径が大きくなるにつれてトレーニング負荷が軽減される。体力の高いトレーニング者は小さい径のピニオン８１を選択し、体力の低いトレーニング者は大きい径のピニオン８１を選択するということになる。尚図ではピニオンラック構造の片側だけを表示しており、図中の１〜５は各ピニオン８１の中心（即ち発電機駆動軸８３）と径を表している。また単位径１から５までのピニオン８１をそれぞれ８１１から８１５のように表している。さらに図では図７に対しラックと各ピニオン８１を接して噛み合うように、径ごとに発電機駆動軸８３を移動して描いている。
【００４７】
発電機に関して、小さい径のピニオン８１、例えば単位径１のピニオン８１１を選択した場合の発電量は、単位径５のピニオン８１５を選択した場合に比べ、（同じ速度でラック体８０を上下させるとして）発電機は５倍の速度で回転するから、５倍の発電量が得られることになる。
【００４８】
このようにしてトレーニング者のトレーニング量に比例した電気が起電されることになる。尚この場合、上下運動に伴い、電流の方向が逆転することになるので、起電される電流は交流となるが、反転機構をピニオン８１と発電機の間に配して直流とし、該直流となったところまでを発電装置（図示せず）と定義し、該発電装置を図９の接続ユニット９２、場合によっては昇圧ユニット９１を経由し、パワーコンディショナ９３へつなげることができる。反転機構の詳細については省略する。
【００４９】
トレーニングの負荷レベルについては、段落３４の図５のトレーニング履歴データ６２の説明でも触れたように、さらにピニオン８１の種類を増やして即ち単位径を１〜１０にし、発電機の駆動負荷をＡとＢの２段切替にして、２×１０の２０段階にするなどしてもよい。
【００５０】
段落３７でも述べたが従来のウェイト系トレーニング器具５１においてウェイト選択ピンを挿入して負荷レベルを設定する場合に比し、本発明のラックピニオン式の発電型ウェイト系トレーニング器具５２を進化させ、ピニオン選択のギアボックスなどを設ける構造とすることにより、トレーニングの負荷レベルの自動設定がより可能となる。
【００５１】
従来のウェイト系トレーニング器具５１は分離されたウェイトを上の方から選択して次第に重くなっていく、即ちトレーニングの負荷レベルの高い方へと、そのような仕組みになっているが、本発明では図７のように、従来の分離されたウェイトを  ラック体８０に置き換え、両側にピニオン８１を配置し、さらに一体型ウェイト８０を配置して、該ピニオン８１により発電機を駆動する構造としている。
【００５２】
このようにしてトレーニングの負荷レベルに比例した発電がなされ、発電量は電力料金に換算される。これらをトレーニングジム全体で集計し、売電して、発電量により得られたお金を任意団体へ寄付することとする。
【００５３】
これらの電力は各利用者ごと、発電型ウェイト系トレーニング器具５２ごとに計測され、図１のようにリーダライタ２０、通信制御部２４を介してサーバ１０へと送信され、各トレーニング者のトレーニング履歴データ６２にある発電量として記録管理される。
【００５４】
各マシンで発電された電力は、ジム全体で総計され送電線を介して電力会社へ送電、売電される。売電された金額は一定間隔（月ごとなど）で集計され予め登録された任意団体の口座へ自動振込がなされる。
【００５５】
以上の発電、売電、口座振込の一連の処理は図１の説明でも触れたが、サーバ１０のアプリケーションプログラム、トレーニングジム管理部１２の発電制御部１５、売電制御部１６と口座振込制御部１７によって処理がなされる。
【００５６】
太陽光発電による売電の仕組みを流用した、本発明のトレーニングジムにおける発電型ウェイト系トレーニング器具５２による売電の仕組みを、図１０により説明する。
【００５７】
昇圧ユニット９１により、各マシン即ち発電装置からの発電の直列数が少ない系統の電圧を昇圧し、接続ユニット９２により発電装置の直流系統ごとに配線を接続し、一本の線にまとめる。パワーコンディショナ９３により発電装置で発生した直流電力を交流電力に変換して、住宅用分電盤９４経由、余剰電力用電力量計９５により電力会社が買い上げる電力量として計量し、引込線から柱上トランス９６を経て商用電源へと接続される。尚昇圧ユニット９１はオプションであり、発電された電圧が低い場合に設置して使われる。また住宅用分電盤９４は太陽光発電の場合に、太陽電池で発電して、家庭内の電気負荷へ分配し、余った分を売電する、そのように使われるものだが、本発明においては各マシン即ち発電装置により発電した分を全て売電することになるので、該住宅用分電盤９４を発電電力はスルーするだけである。このように各マシン即ち発電装置により発電されたトレーニングによる発電量が図１の発電制御部１５により、トレーニング履歴データベース６２へ記録される。
【００５８】
売電制御部１６（図１）は余剰電力用電力量計９５から電力量の値を受け取り、売電当日の1Kwhの売電単価をセットし、マシンごとの総額を計算し、ジム全体総額、日総額、月総額などを用意されたトレーニングジムのデータベース（図示せず）に記録し管理する。
【００５９】
口座振込制御部１７（図１）においては、まずトレーニングジムとして自社の口座にログイン(認証)し、売電制御部１６から、例えば月のジム全体総額を振込み金額として受け取りセットし、相手側の口座の設定をし、相手側の口座のチェック(存在や、口座名)、認証(パスワード設定)、送金の実施となる。送金はＢＡＮＣＳ（ＢＡＮｋｓ  Ｃａｓｈ Ｓｅｒｖｉｃｅ。都市銀行間を接続するＣＤ／ＡＴＭの相互接続ネットワーク)等のオンラインシステムで実施されることになる。
【００６０】
他方トレーニングが終わり、トレーニング者は図２のロッカー７１で、開錠し着替えなどを行い、施錠して受付部５０でリーダライタ２０にＩＣカードを通すと、先の入室時間と退室時間が入退出データとして、図１の受付制御部１３によりサーバ１０のトレーニング履歴データベース６２に記録される。
【００６１】
以上の説明では発電型ウェイト系トレーニング器具５２の発電機構により発電してトレーニングの管理を行うとしたが、エアロバイクやロードミルなどの他のトレーニング器具にも発電機構を施し、本発明のトレーニングジムの統合管理運営システムに組み込み、管理することとしても勿論よい。
【産業上の利用可能性】
【００６２】
サーバ１０を運営して、以上のようなトレーニングジムの統合管理運営を行うようなビジネスモデルを考えてもよい。さらにその時サーバ１０は例えばデータセンターなどに設置され複数のトレーニングジムの統合管理運営を行うような構成をとることもできる。
【００６３】
当発明で起こした電気を売電して得られるお金は僅かなものであるが、お金の価値を考え、飽食の人々が飢餓の人々へ施すような状況を想定したとき、その価値は大きなインパクトのあるものとなる。トレーニングジムの利用者は自身のトレーニングが電力として売電され、売電した分の寄付を特に最貧国を対象としたときなど、世界の貧困の減少につなげることができ、大きな貢献となる。
【００６４】
トレーニングジムの経営者はこのような仕組みを持つことで、潜在利用者の高い評判を呼ぶこととなり、利用者即ちトレーニングジムの会員を増やすことができるようになり、安定した経営を維持することができるようになる。同時にトレーニング者にとってもこのような貢献がトレーニングに対する意欲維持・向上につながる。
【００６５】
各トレーニング者の記録管理されたトレーニング履歴データ６２を使い、例えばトレーニングジム全体で、トレーニング量のランクを努力の成果として、トレーニング者に通知して、トレーニングに対する意欲の向上につなげることもできる。
【符号の説明】
【００６６】
１０  サーバ
１２  トレーニングジム管理部
１３  受付制御部
１４  ロッカー制御部
１５  発電制御部
１６  売電制御部
１７  口座振込制御部
２０  リーダライタ
２５  表示装置
３０  体調データ計測器
４０  体格データ計測器
５０  受付部
５１  ウェイト系トレーニング器具
５２  発電型ウェイト系トレーニング器具（マシンｎ）
５５  トレーニングルーム
６０  トレーニング者データベース
６１  トレーニング器具データベース
６２  トレーニング履歴データベース
７０  ロッカールーム
８０  ラック体
８１  ピニオン
８２  一体型ウェイト
８３  発電機駆動軸（ピニオン軸）
８４  ウェイト案内ロッド゛
８５  吊上ワイヤ
８６  案内ロッド゛
８７  ウェイト選択穴
８８  ウェイト
９１  昇圧ユニット
９２  接続ユニット
９３  パワーコンディショナ
９４  住宅用分電盤
９５  余剰電力用電力量計
９６  柱上トランス
【図１】
0005641261.tif 000002
【図２】
0005641261.tif 000003
【図３】
0005641261.tif 000004
【図４】
0005641261.tif 000005
【図５】
0005641261.tif 000006
【図６】
0005641261.tif 000007
【図７】
0005641261.tif 000008
【図８】
0005641261.tif 000009
【図９】
0005641261.tif 000010
【図１０】
0005641261.tif 000011